(57)【要約】【課題】  内部に備えるスキャナユニットの読取り窓の清掃等が容易に出来る自動原稿搬送装置を提供する。【解決手段】  自動原稿搬送装置２は、ＡＤＦ本体部４８と、本体カバー４０と、これらの間に設置されるスキャナユニット８とから構成されている。スキャナユニット８は、読取り窓１１、ミラー１２ａ、１２ｃ及び第１フレーム２３を備えた第１ユニット２１と、第１ユニットに連結され、ミラー１２ｂ、レンズ１３、ＣＣＤ１４及び第２フレーム２４を備えた第２ユニット２２とに分割されている。第１フレーム２３に対して一体となった外フレーム２５は、搬送ローラ５２の軸中心の回転軸５９に接続されており、第２ユニット２２に対して独立して移動出来る。そのため、第１ユニット２１の読取り窓１１を容易に外方に露出させることが出来る。【選択図】  図４
2010130422.tif 000002
【特許請求の範囲】
【請求項１】
原稿を読み取るためのスキャナユニットが組み込まれた自動原稿搬送装置であって、
前記スキャナユニットは、読取り窓と、前記読取り窓から入射した光を反射するミラーと、前記反射された光を集光するレンズと、前記集光された光を結像させて電気信号を出力するＣＣＤとを含み、
前記スキャナユニットを、少なくとも前記読取り窓を有する第１ユニットと、前記第１ユニットに連結され、少なくとも前記ＣＣＤを有する第２ユニットとに分割すると共に、前記第１ユニットは、前記読取り窓を外方に露出させるために前記第２ユニットに対して独立して移動できるように構成される、自動原稿搬送装置。
【請求項２】
前記第１ユニット及び前記第２ユニットの各々には、連結した状態において互いの本来の位置を保持するための位置決め手段が設けられた、請求項１記載の自動原稿搬送装置。
【請求項３】
前記位置決め手段は、前記第１ユニット及び前記第２ユニットの一方に取り付けられた突起体と、前記第１ユニット及び前記第２ユニットの他方に取り付けられ、前記突起体に嵌合する凹み体とを含む、請求項２記載の自動原稿搬送装置。
【請求項４】
前記位置決め手段は、前記第１ユニット及び前記第２ユニットの各々の対向面に取り付けられ、互いに磁力によって引き付けられる一対の部材を更に含む、請求項３記載の自動原稿搬送装置。
【発明の詳細な説明】
【技術分野】
【０００１】
この発明は自動原稿搬送装置に関し、特に、原稿を読み取るためのスキャナユニットが組み込まれた自動原稿搬送装置に関するものである。
【背景技術】
【０００２】
従来の自動原稿搬送装置（ＡＤＦ）においては、内部にスキャナユニットを設け、これと本体側のスキャナユニットとを使用することで、ＡＤＦに原稿を一度だけ通過させて原稿の両面を読み取る、いわゆる１パス両面対応のＡＤＦがある（例えば、特許文献１）。
【０００３】
特許文献１で開示されたＡＤＦは、その上部に複数のミラー、レンズ、及び電荷結合素子（ＣＣＤ）よりなるスキャナ本体を備える画像読取装置において、スキャナ本体の上部に着脱自在に設置されている。又、ＡＤＦ内にはスキャナ本体と同一構成の裏面読取装置が設けられている。そして、裏面読取装置の一方端部には回転軸が設けられているため、回転軸を中心に裏面読取装置を上下方向に回転移動させて開閉し、その読取り窓の清掃等をおこなうことが出来る。
【０００４】
ＡＤＦにセットされた原稿は、まず、搬送ローラによって流し読みガラス台に搬送される。そして、この流し読みガラス台を通過する際にスキャナ本体によって原稿の表面が読み取られる。次に、原稿の裏面側に位置する裏面読取装置を通過することで、原稿の裏面が読み取られる。従って、原稿をスイッチバックしてその表裏面を変更させることなく、原稿の両面を読み取ることが可能となる。そのため、原稿の損傷及びＡＤＦ内でのジャムの虞が低減する。
【特許文献１】特開２００３−１３４３１０号公報
【発明の開示】
【発明が解決しようとする課題】
【０００５】
上記のような従来の自動原稿搬送装置では、上述した裏面読取装置（スキャナユニット）の読取り窓の清掃時に問題が生じる。即ち、スキャナユニットの読取り窓を外方に露出させるためには、スキャナユニット全体を上方に回転させて開状態にする必要があるため、その移動の対象となる単位（移動単位）が大きなものとなる。従って、スキャナユニットの配置上の制限が大きなものとなっていた。
【０００６】
又、スキャナユニット全体を上下方向に回転移動させる必要があるため、その操作には大きな力が必要になると共に、スキャナユニットを閉状態にする時の衝撃が大きくならないように、注意して操作をする必要がある。従って、その操作は困難なものとなっていた。
【０００７】
この発明は上記のような課題を解決するためになされたもので、内部に備えるスキャナユニットの読取り窓の清掃等が容易に出来る自動原稿搬送装置を提供することを目的とする。
【課題を解決するための手段】
【０００８】
上記の目的を達成するために、請求項１記載の発明は、原稿を読み取るためのスキャナユニットが組み込まれた自動原稿搬送装置であって、スキャナユニットは、読取り窓と、読取り窓から入射した光を反射するミラーと、反射された光を集光するレンズと、集光された光を結像させて電気信号を出力するＣＣＤとを含み、スキャナユニットを、少なくとも読取り窓を有する第１ユニットと、第１ユニットに連結され、少なくともＣＣＤを有する第２ユニットとに分割すると共に、第１ユニットは、読取り窓を外方に露出させるために第２ユニットに対して独立して移動できるように構成されるものである。
【０００９】
このように構成すると、スキャナユニットにおける第１ユニットのみを移動すれば、読取り窓が外方に露出する。
【００１０】
請求項２記載の発明は、請求項１記載の発明の構成において、第１ユニット及び第２ユニットの各々には、連結した状態において互いの本来の位置を保持するための位置決め手段が設けられたものである。
【００１１】
このように構成すると、第１ユニットを移動前の状態に戻した時、第２ユニットに対して本来の位置に復帰する。
【００１２】
請求項３記載の発明は、請求項２記載の発明の構成において、位置決め手段は、第１ユニット及び第２ユニットの一方に取り付けられた突起体と、第１ユニット及び第２ユニットの他方に取り付けられ、突起体に嵌合する凹み体とを含むものである。
【００１３】
このように構成すると、突起体と凹み体とが嵌合した時、第１ユニットは本来の位置となる。
【００１４】
請求項４記載の発明は、請求項３記載の発明の構成において、位置決め手段は、第１ユニット及び第２ユニットの各々の対向面に取り付けられ、互いに磁力によって引き付けられる一対の部材を更に含むものである。
【００１５】
このように構成すると、連結状態における第１ユニットと第２ユニットとの不用意な分離の虞が無い。
【発明の効果】
【００１６】
以上説明したように、請求項１記載の発明は、スキャナユニットにおける第１ユニットのみを移動すれば、読取り窓が外方に露出するため、読取り窓の清掃等が容易に可能となる。又、スキャナユニットの移動単位が小さくなり、スキャナユニットの配置の自由度が増す。
【００１７】
請求項２記載の発明は、請求項１記載の発明の効果に加えて、第１ユニットを移動前の状態に戻した時、第２ユニットに対して本来の位置に復帰するため、スキャナユニットの読取り品質が低下しない。
【００１８】
請求項３記載の発明は、請求項２記載の発明の効果に加えて、突起体と凹み体とが嵌合した時、第１ユニットは本来の位置となるため、第１ユニットと第２ユニットとの正しい連結状態の確認が容易となる。
【００１９】
請求項４記載の発明は、請求項３記載の発明の効果に加えて、連結状態における第１ユニットと第２ユニットとの不用意な分離の虞が無いため、第１ユニットと第２ユニットとの連結状態の信頼性が向上する。
【発明を実施するための最良の形態】
【００２０】
図１はこの発明の第１の実施の形態による自動原稿搬送装置を装着した画像形成装置全体の概略断面図である。
【００２１】
図を参照して、画像形成装置の一つである印刷、ＦＡＸ送受信、読取及び複写機能等を有する複合機１は、その上部に配置された原稿読取部３と、その下部に配置された記録部４と、最下部に配置された給紙部６とから構成されている。
【００２２】
原稿読取部３は、原稿カバー３１に設けられた原稿トレイ３２に載置された原稿が自動原稿搬送装置（ＡＤＦ）２により搬送され、プラテンガラス３５が配置された読取位置を経由して原稿排紙トレイ３３に排出される。読取位置には、搬送された原稿を光学的に読み取る電荷結合素子（ＣＣＤ）３８を搭載したスキャナユニット３７が原稿に対向するように配置されている。又、書籍等を読み取る場合には、原稿カバー３１を上方に回転移動させてフラットベッドプラテン３４に書籍等の被読取部分を配置し、スキャナユニット３７を矢印で図示するように移動させて読取動作が行われる。尚、ＡＤＦ２内には原稿を読み取るためのスキャナユニットが組み込まれているため、原稿をスイッチバックさせること無く原稿の両面を読み取ることが出来る。ＡＤＦ２の詳細については後述する。
【００２３】
給紙部６は、給紙カセット６１が配置されており、フラッパ６２に所定のサイズの用紙６０が複数枚積載されている。又、給紙カセット６１の図における右端部には、給紙ローラ６５が配置されている。フラッパ６２は、積載された用紙６０の上面が給紙ローラ６５に圧接するように、図示しないバネ部材により上方に付勢されている。この状態で給紙ローラ６５が回転駆動すると、給紙ローラ６５と図示しない分離パッドとにより用紙６０が１枚ずつ用紙搬送路に給紙される。そして、給紙された用紙６０は、まずフィードローラ７０及びプレスローラ７１により記録部４に搬送される。
【００２４】
記録部４は、搬送された用紙６０に記録するために、現像ローラを有する現像器７２、紙粉除去ローラ７３、コロナ帯電器７４、感光体ドラム７５、転写ローラ７６、露光ヘッド７７、定着ローラ７８及びプレスローラ７９を備えている。
【００２５】
紙粉除去ローラ７３は、転写後の感光体ドラム７５の表面に付着したトナーや紙粉を捕捉し、除去する。コロナ帯電器７４は、コロトロンからの放電により感光体ドラム７５の表面を一様に帯電する。コロナ帯電器７４により一様に帯電された感光体ドラム７５に、露光ヘッド７７でＣＣＤ３８又はＡＤＦ２内のスキャナユニットによって得られた画像記録信号に応じて露光することで静電潜像が形成される。そして、現像器７２内の帯電したトナーを感光体ドラム７５に形成された静電潜像に転移させて、静電潜像を可視像化する。そして、転写ローラ７６は、用紙６０を挟んで感光体ドラム７５と対向する位置に設置されており、所定の電圧が印加されることによって、感光体ドラム７５の表面に形成されたトナー像が用紙に転写される。そして、転写されたトナー像は、定着ローラ７８及びプレスローラ７９によって挟持されながら加熱・プレスされ用紙６０に定着される。トナー像が定着した用紙６０は、排紙ローラ８０及びプレスローラ８１の間に挟持されて用紙排出トレイ８２に搬出される。
【００２６】
尚、図１において、給紙部６から用紙排出トレイ８２までの用紙搬送路を一点鎖線で示している。そして、用紙搬送路に沿って配設された搬送ローラ及び用紙ガイドが用紙搬送部を構成している。
【００２７】
次に、ＡＤＦ２の詳細について説明する。
【００２８】
図２は図１で示した自動原稿搬送装置の拡大断面図である。
【００２９】
図を参照して、ＡＤＦ２は、ＡＤＦ本体部４８と、ＡＤＦ本体部４８の上方側を覆うように形成され、カバー回転軸４９を介してＡＤＦ本体部４８に回転自在に接続される本体カバー４０と、ＡＤＦ本体部４８と本体カバー４０との間に設置されるスキャナユニット８とから主に構成されている。スキャナユニット８は第１ユニット２１と第２ユニット２２とから構成されており、詳細は後述する。
【００３０】
又、ＡＤＦ２には、原稿トレイ３２と原稿排出トレイ３３とが接続されており、原稿トレイ３２に載置された原稿は、ＡＤＦ２内を図において湾曲状の一点鎖線で示した原稿搬送経路に沿って搬送され、原稿排出トレイ３３に排出される。尚、原稿の表面とは、原稿トレイ３２に載置された状態の原稿の上側の面であり、原稿の裏面とは、原稿トレイ３２に載置された状態の原稿の下側の面である。ここで、上述した原稿搬送経路の順序に沿って、ＡＤＦ２の詳細について説明する。
【００３１】
原稿トレイ３２に載置された原稿は、ピックアップローラ５０によってＡＤＦ２内へと搬送される。そして原稿は、ピックアップローラ５０の下流側に配置された分離ローラ５１と図示しない分離パッドとにより分離され、搬送ローラ５２とこれに対向する対向ローラとに挟持されながら、更に下流へと搬送される。尚、ピックアップローラ５０は分離ローラ５１に分離ローラ５１の軸を中心として図においてアームを介して上下方向に回転自在に接続されており、原稿トレイ３２に原稿が載置されると、図の二点鎖線で示したように下方側に位置を変更し、回転駆動して原稿を搬送する。
【００３２】
搬送ローラ５２によって搬送された原稿は、搬送ローラ５３とこれに対向する対向ローラとに挟持されながら、プラテンガラス３５が設けられた第１読取位置へと搬送され、スキャナユニット３７によって原稿の表面が読み取られる。スキャナユニット３７は、通過する原稿の表面に図示しない光源を照射し、プラテンガラス３５から入射した光をミラー４１ａ、４１ｂによって反射させ、反射した光をレンズ４２によって集光し、集光した光をＣＣＤ３８で結像させて電気信号を出力している。この電気信号は適宜変換処理され、図１で示した複合機１の記録部４へと送信される。
【００３３】
プラテンガラス３５を通過した原稿は、搬送ローラ５４とこれに対向する対向ローラとに挟持されながら、第２読取位置へと搬送され、ＡＤＦ２が備えるスキャナユニット８によって原稿の裏面が読み取られる。ここで、スキャナユニット８の構造について説明する。
【００３４】
スキャナユニット８は、読取り窓１１及びミラー１２ａ、１２ｃを備えた第１ユニット２１と、第１ユニットに連結され、ミラー１２ｂ、レンズ１３及びＣＣＤ１４を備えた第２ユニット２２とに分割して構成されている。
【００３５】
スキャナユニット８は、通過する原稿の裏面に図示しない光源を照射し、読取り窓１１から入射した光をミラー１２ａ〜１２ｃによって反射させ、反射した光をレンズ１３によって集光し、集光した光をＣＣＤ１４で結像させて電気信号を出力している。即ち、スキャナユニット８は、上述したスキャナユニット３７の構成及び効果と同一である。そして、電気信号は同様に適宜変換処理され、図１で示した複合機１の記録部４へと送信される。
【００３６】
第１ユニット２１は、上述した通り、読取り窓１１及びミラー１２ａ、１２ｃを備えている。更に、第１ユニット２１は、ミラー１２ａ、１２ｃを第２ユニット２２に対向する面以外で外面を覆うように形成された第１フレーム２３を備えている。尚、読取り窓１１は、第１フレーム２３の原稿搬送経路側の面に設置されていると共に、第１フレーム２３における第２ユニット２２との対向面には、光軸の透過を確保しつつ、第１ユニット２１内へのほこり等の浸入を防止するガラス又は樹脂等の透明な部材で形成された図示しないカバー部材が設けられている。
【００３７】
又、スキャナユニット８に対して第１フレーム２３の外方側を覆うように、第１フレーム２３と一体となった外フレーム２５が設けられている。外フレーム２５の端部は、上述した搬送ローラ５２の軸中心に設けられた回転軸５９に接続されており、回転軸５９を中心として図において上方に回転自在となるように構成されている。
【００３８】
更に、第１フレーム２３の第２ユニット２２に対向する面には、第１ユニット２１と第２ユニット２２とが連結した状態において互いの本来の位置を保持するための位置決め手段である、磁石１８と凹み体１６とが設けられている。第２ユニット２２における位置決め手段及びこれらの効果については後述する。尚、第１ユニット２１と第２ユニット２２との本来の位置とは、第１ユニット２１と第２ユニットとが連結した状態において、スキャナユニット８全体の読み取り機能が確実な品質で発揮される位置のことである。具体的には、第１ユニット２１と第２ユニット２２とが本来の位置にある時は、ミラー１２ａ〜１２ｃによる光軸のずれ等が発生しない。
【００３９】
第２ユニット２２は、上述した通り、ミラー１２ｂ、レンズ１３及びＣＣＤ１４を備えている。更に、第２ユニット２２は、これらを第１ユニット２１に対向する面以外で外面を覆うように形成された第２フレーム２４を備えている。又、第２フレーム２４における第１ユニット２１との対向面には、光軸の透過を確保しつつ、第２ユニット２２内へのほこり等の浸入を防止するガラス又は樹脂等の透明な部材で形成された図示しないカバー部材が設けられている。尚、第２フレーム２４は外フレーム２５とは一体化されていない。そのため、外フレーム２５と一体となった第１ユニット２１は、後述するように第２ユニット２２に対して独立して上下方向に回転移動することが可能となる。
【００４０】
又、第２フレーム２４においても、上述した位置決め手段として、第１ユニット２１と第２ユニット２２とが連結した状態において第１ユニット２１の凹み体１６に対応し、互いが嵌合出来るように形成された突起体１７が設けられている。従って、第１ユニット２１を上方に回転することで第１ユニット２１と第２ユニット２２とを分離し、これらを再度連結した状態とする時、突起体１７と凹み体１６とが嵌合することにより、第１ユニット２１は本来の位置となる。即ち、第２ユニット２２に対して第１ユニット２１が連結した状態における本来の位置とならなければ、突起体１７と凹み体１６とが嵌合しないことになる。従って、第１ユニット２１のみの移動を可能とする構成であっても、スキャナユニット８全体の読み取り機能の品質が低下しない。又、突起体１７と凹み体１６との嵌合による位置決め手段であるため、第１ユニット２１と第２ユニット２２との正しい連結状態の確認が容易となる。
【００４１】
又、第２フレーム２４においては、上述した位置決め手段として、更に、突起体１７と凹み体１６とが嵌合する第１ユニット２１の本来の位置における磁石１８に対応する位置に、磁石１９が設けられている。即ち、第１ユニット２１と第２ユニット２２とには、各々の対向面に磁石１８、１９が取り付けられている。そして、磁石１８、１９は互いに引き付けられるように反対磁極で構成されているため、連結状態の第１ユニット２１及び第２ユニット２２が不用意に分離する虞が無くなる。従って、連結状態の信頼性が向上する。
【００４２】
ここで、原稿搬送経路の順序に沿った説明に戻って、原稿の裏面は、上記のように構成されたスキャナユニット８によって読み取られた後、排出ローラ５５と押圧ローラ５６とによって原稿排出トレイ３３に排出される。このようにして、原稿はその表裏両面がＡＤＦ２内に一度通過させるだけで読み取られる。従って、原稿をスイッチバックさせること無く原稿の両面を読み取ることが出来るため、ＡＤＦ２内の搬送による原稿の損傷及びＡＤＦ２内でのジャムの虞が低減する。
【００４３】
尚、外フレーム２５、第１フレーム２３の下方部分、第２フレーム２４の下方部分及び搬送ローラ５２〜５４の間に配置された本体ガイド４６と、ＡＤＦ本体部４８及び本体カバー４０の内壁とが、原稿搬送経路を挟むように形成されている。そして、これらが原稿搬送経路のガイド部材を構成する。これらのガイド部材と種々のローラとによって、原稿搬送経路が形成されている。
【００４４】
次に、スキャナユニット８における第１ユニット２１と第２ユニット２２との分離による効果について説明する。
【００４５】
図３は図２で示した自動原稿搬送装置における本体カバーを開状態とした断面図である。
【００４６】
図を参照して、カバー回転軸４９を中心として、本体カバー４０を図における上方に回転して移動させると、本体カバー４０は開状態となる。すると、本体カバー４０に覆われていたスキャナユニット８の上方に位置する外フレーム２５が外方に露出する。例えば、図２で示した原稿搬送経路におけるピックアップローラ５０から搬送ローラ５３までの間で原稿のジャムが発生した場合、本体カバー４０を図のように開状態にし、原稿を取り除いてジャムを解消する。
【００４７】
このように、第１ユニット２１と第２ユニット２２とを分離した状態にするためには、まず本体カバー４０を開状態にする必要がある。次に、スキャナユニット８の第１ユニット２１と第２ユニット２２との分離について、以下に説明する。
【００４８】
図４は図３で示した自動原稿搬送装置における第１ユニットを開状態とした断面図である。
【００４９】
図を参照して、本体カバー４０を開状態にすることによって外方に露出された外フレーム２５の端部を掴んで上方に持ち上げる。すると、外フレーム２５と一体となっている第１ユニット２１は、搬送ローラ５２の軸中心に位置する回転軸５９を中心として上方に回転して移動する外フレーム２５に伴って移動し、開状態となる。一方、第２ユニット２２は外フレーム２５と一体化されていないため、第１ユニット２１の移動に対して、その位置が変化しない。このようにして、第１ユニット２１は第２ユニット２２に対して独立して移動し、これらが分離状態となる。
【００５０】
第１ユニット２１を上方に移動させることによって、図で示す通り、読取り窓１１が外方に露出する。即ち、読取り窓１１の清掃時には第１ユニット２１のみを移動すれば良い。従って、従来のようにスキャナユニット８全体を回転させて移動させる構造に対して、移動させる部分が軽量化する。
【００５１】
又、従来のようにスキャナユニット８全体を移動させる移動単位と、図４で示すようにスキャナユニット８の第１ユニット２１のみを移動させる移動単位とを比較すれば、明らかに第１ユニット２１のみを移動させる移動単位の方が小さくなる。従って、スキャナユニット８の移動のための軌道に対して配置の自由度が増し、種々のレイアウトが可能となる。
【００５２】
又、第１ユニット２１を開状態とした時、第１フレーム２３及び第２フレーム２４の各々の対向面は外方に露出することになる。しかしながら、上述した通り、第１フレーム２３及び第２フレーム２４の各々には、互いの対向面に図示しないカバー部材が設けられている。従って、第１ユニット２１及び第２ユニット２２内へのほこり等の浸入を防止することが出来る。
【００５３】
尚、上記の第１の実施の形態では、画像形成装置としての複合機における自動原稿搬送装置であるが、原稿を読み取る必要がある装置、例えば、プリンタ、ファクシミリ装置等、他の画像形成装置における自動原稿搬送装置であっても良い。
【００５４】
又、上記の第１の実施の形態では、供給される用紙の片面に記録する方式の画像形成装置に適用しているが、これに代えて、用紙の両面に記録する方式の画像形成装置に適用しても良いことは言うまでもない。このようにすれば、読み取るべき両面原稿毎に対応した記録用紙が得られるため、より使い勝手が良い。
【００５５】
更に、上記の第１の実施の形態では、スキャナユニットにおける読取り窓、ミラー、レンズ及びＣＣＤの配置が特定されているが、第１ユニットには少なくとも読取り窓が配置されると共に、第２ユニットには少なくともＣＣＤが配置されていれば、他の配置の組み合わせでユニットが分割されていても良い。
【００５６】
更に、上記の第１の実施の形態では、スキャナユニットには３枚のミラーが設置されているが、ミラーは少なくとも１枚設置されていれば、他の枚数であっても良い。
【００５７】
更に、上記の第１の実施の形態では、第１ユニットは外フレームの構造を介して移動自在になるように構成されているが、読取り窓を外方に露出させるために第２ユニットに対して独立して移動出来るようなものであれば、他の構造であっても良い。
【００５８】
更に、上記の第１の実施の形態では、第２ユニットは移動出来ない構造であるが、例えば、第１ユニットと同様に回転軸を設ける等、移動自在に構成されていても良い。
【００５９】
更に、上記の第１の実施の形態では、第１ユニットと第２ユニットとには特定の構成による位置決め手段が設けられているが、第１ユニットと第２ユニットとが連結した状態において互いの本来の位置を保持出来るものであれば、他の構成による位置決め手段であっても良い。又は、位置決め手段は無くても良い。
【００６０】
更に、上記の第１の実施の形態では、第１ユニットと第２ユニットとの位置決め手段の一つとして、第１ユニットの凹み体と第２ユニットの突起体とが設けられているが、第１ユニットに突起体を設け、第２ユニットに凹み体を設けても良い。尚、突起体をバネ等で伸縮自在に付勢するように構成すれば、凹み体との嵌合状態が安定し、より使い勝手が向上する。
【００６１】
更に、上記の第１の実施の形態では、第１ユニットと第２ユニットとの位置決め手段の一つとして、各々に磁石が設けられているが、一方が磁石で他方が鉄板のような互いに磁力によって引き付けられる一対の部材であれば良い。あるいは、これらのものは全く無くても良い。
【図面の簡単な説明】
【００６２】
【図１】この発明の第１の実施の形態による自動原稿搬送装置を装着した画像形成装置全体の概略断面図である。
【図２】図１で示した自動原稿搬送装置の拡大断面図である。
【図３】図２で示した自動原稿搬送装置における本体カバーを開状態とした断面図である。
【図４】図３で示した自動原稿搬送装置における第１ユニットを開状態とした断面図である。
【符号の説明】
【００６３】
２…自動原稿搬送装置（ＡＤＦ）
８…スキャナユニット
１１…読取り窓
１２…ミラー
１３…レンズ
１４…ＣＣＤ
１６…凹み体
１７…突起体
１８、１９…磁石
２１…第１ユニット
２２…第２ユニット
尚、各図中同一符号は同一又は相当部分を示す。
【図１】
2010130422.tif 000003
【図２】
2010130422.tif 000004
【図３】
2010130422.tif 000005
【図４】
2010130422.tif 000006